(57)【要約】【課題】様々な体型に対応できるとともに良好な座り心地が得られる車両シート構造を提供する。【解決手段】車両シート構造のシートバックは、シートバックパッドと、前記シートバックパッドの背後かつ前記シートバックの左右両側において、略上下方向に延びる一対の縦部材４２と、前記一対の縦部材４２の間に架け渡される複数の架け渡しワイヤと、前記一対の縦部材４２それぞれの第一接続点５８同士を接続する第一横部材４４Ｕと、前記一対の縦部材４２それぞれの第二接続点６０同士を接続する第二横部材４４Ｌと、張力が高まることで、前記第一、第二横部材４４Ｕ，４４Ｌを互いに近づく方向に引っ張る１以上の調整ワイヤ６４Ｕ，６４Ｌと、前記調整ワイヤ６４Ｕ，６４Ｌの張力を調整する調整機構６６Ｕ，６６Ｌと、を備える。【選択図】図４
2020100311.tif 000002
【特許請求の範囲】
【請求項１】
乗員が着座するシートクッションと、乗員の上体を背後から支えるシートバックと、を有する車両シート構造であって、
前記シートバックは、
乗員の上体背部が当接するシートバックパッドと、
前記シートバックパッドの背後かつ前記シートバックの左右両側において、略上下方向に延びる一対の縦部材であって、それぞれが第一接続点および前記第一接続点より下方に位置する第二接続点を有する一対の縦部材と、
前記シートバックパッドを背後から支えるべく、前記一対の縦部材の間に架け渡される複数の架け渡しワイヤであって、上下方向に間隔を開けて複数設けられる架け渡しワイヤと、
前記一対の縦部材それぞれの前記第一接続点同士を接続する第一横部材と、
前記一対の縦部材それぞれの前記第二接続点同士を接続する第二横部材と、
張力が高まることで、前記第一、第二横部材を互いに近づく方向に引っ張る１以上の調整ワイヤと、
前記調整ワイヤの張力を調整する調整機構と、
を備えることを特徴とする車両シート構造。
【発明の詳細な説明】
【技術分野】
【０００１】
本明細書では、乗員が着座するシートクッションと、乗員の上体を背後から支えるシートバックと、を有する車両シート構造を開示する。
【背景技術】
【０００２】
車両に搭載されるシートは、着座者が着座するシートクッションと、着座者の上体を背後から支えるシートバックと、を有している。かかる車両シートは、着座者が長時間、快適に過ごせることが求められている。ここで、一般に、人の上体背部は、平坦ではなく、湾曲している。着座者が快適に過ごすためには、シートバックによる上体背部を支持する支持力も、この上体背部の形状にあわせて場所ごとに変化することが望ましい。しかし、上体背部の形状は、人によって異なる。また、同じ人であっても、着衣状態によって、支持力分布の望ましい形態が変化する。
【０００３】
そこで、従来から、シートバックによる支持力を適宜、変更できる技術が提案されている。例えば、特許文献１−３には、こうした支持力変更機能を有した車両シート構造が開示されている。具体的には、特許文献１には、シートバックに設けられた空気袋に注入する空気量を調整することで、腰部を支持する圧力を調整する技術が開示されている。特許文献２，３には、シートバック内に設けられた板の撓み量を変更することで、腰部の支持圧力を調整する技術が開示されている。
【先行技術文献】
【特許文献】
【０００４】
【特許文献１】特開２００９−１７２１４５号公報
【特許文献２】特開２００５−３１３６９６号公報
【特許文献３】特開２００７−０１３７６３号公報
【発明の概要】
【発明が解決しようとする課題】
【０００５】
しかしながら、特許文献１の技術では、空気袋の配置された箇所のみが局所的に膨らむことになる。そのため、様々な体型に対応することが難しかった。もちろん、空気袋の数を増やし、空気袋ごとに注入する空気量を調整することで、様々な体型に対応しやすくなるが、この場合、コストが増加し、制御も複雑となる。また、特許文献２，３の場合、着座者の上体のすぐ背後に硬い板材が存在することになる。そのため、特許文献２，３の場合、座り心地については、改善の余地があった。
【０００６】
そこで、本明細書では、様々な体型に対応できるとともに良好な座り心地が得られる車両シート構造を開示する。
【課題を解決するための手段】
【０００７】
本明細書で開示する車両シート構造は、乗員が着座するシートクッションと、乗員の上体を背後から支えるシートバックと、を有する車両シート構造であって、前記シートバックは、乗員の上体背部が当接するシートバックパッドと、前記シートバックパッドの背後かつ前記シートバックの左右両側において、略上下方向に延びる一対の縦部材であって、それぞれが第一接続点および前記第一接続点より下方に位置する第二接続点を有する一対の縦部材と、前記シートバックパッドを背後から支えるべく、前記一対の縦部材の間に架け渡される複数の架け渡しワイヤであって、上下方向に間隔を開けて複数設けられる架け渡しワイヤと、前記一対の縦部材それぞれの前記第一接続点同士を接続する第一横部材と、前記一対の縦部材それぞれの前記第二接続点同士を接続する第二横部材と、張力が高まることで、前記第一、第二横部材を互いに近づく方向に引っ張る１以上の調整ワイヤと、前記調整ワイヤの張力を調整する調整機構と、を備えることを特徴とする。
【０００８】
かかる構成とすることで、調整機構により、調整ワイヤの張力が増減でき、第一、第二横部材にかかる上下方向の力を増減できる。ここで、第一、第二横部材が互いに近づくと、第一、第二接続点の上下方向距離が縮み、第一、第二接続点の間の縦部材が余る。その結果、第一、第二接続点の間において、縦部材が、幅方向外側かつ前方に膨らむように撓む。縦部材が、撓むことで、一対の縦部材の間に架け渡された架け渡しワイヤの張力が変化し、シートバックの支持力の大きさ、位置が変化する。つまり、調整機構により、調整ワイヤの張力を調整することで、シートバックの支持力の大きさ、位置が変化する。そして、これにより、様々な体型に対応した支持力が得られる。また、この支持力は、着座者の体型に応じて三次元的に変形可能な架け渡しワイヤにより得られるため、着座者の背後に板材を配する従来技術に比べて、座り心地を向上できる。
【０００９】
この場合、調整ワイヤは、前記第一横部材に取り付けられた第一調整ワイヤと、前記第二横部材に取り付けられるとともに、前記調整機構を介して前記第一調整ワイヤに連結された第二調整ワイヤと、を含み、前記第一横部材および前記第二横部材は、前記第一調整ワイヤ、前記第二調整ワイヤ、前記調整機構を介して、上下に連結されていてもよい。
【００１０】
かかる構成とすることで、第一、第二調整ワイヤの張力を増加させることで、第一、第二横部材を互いに近づけることができる。
【００１１】
この場合、前記調整機構は、前記第一調整ワイヤの張力と、前記第二調整ワイヤの張力と、を互いに独立して調整してもよい。
【００１２】
かかる構成とすることで、第一調整ワイヤの張力と、第二調整ワイヤの張力とに差をつけることができ、縦部材の最も撓む箇所、ひいては、支持力の増加する位置を調整できる。結果として、より様々な体型に対応できる。
【００１３】
また、前記第一、第二横部材は、平面視で、後方に凸になるように湾曲しており、前記第一横部材は、後方に進むにつれ、下方に進むように傾斜しており、前記第二横部材は、後方に進むにつれ、上方に進むように傾斜しており、１以上の前記調整ワイヤは、前記第一横部材に沿って延びる第一調整ワイヤと、前記第二横部材に沿って延びる第二調整ワイヤと、を含み、前記調整機構は、前記第一横部材に取り付けられ、前記第一調整ワイヤの張力を調整する第一調整機構と、前記第二横部材に取り付けられ、前記第二調整ワイヤの張力を調整する第二調整機構と、を含んでもよい。
【００１４】
かかる構成とすることでも、第一、第二調整ワイヤの張力を増加させることで、第一、第二横部材を互いに近づけることができる。
【００１５】
また、前記縦部材のうち前記第一接続点と前記第二接続点の間は、予め、前方かつ幅方向外側に向かって膨らむように湾曲していてもよい。
【００１６】
かかる構成とすることで、調整ワイヤの張力を増加させた際、縦部材を所望の方向に確実に湾曲させることができる。
【００１７】
また、前記シートクッションから立脚するシートバック支持フレームを有し、前記縦部材および前記第一、第二横部材は、吊り下げワイヤにより前記支持フレームに吊り下げ保持されており、前記縦部材の上下両端は、他部材に接続されていない自由端であってもよい。
【００１８】
縦部材の上下両端を自由端とすることで、縦部材がより容易に撓むことができ、支持力をより確実に調整することができる。
【００１９】
また、前記調整機構は、前記調整ワイヤを巻き取る巻き取り機構、前記調整ワイヤの動きを規制するストッパの少なくとも一つを含んでもよい。
【００２０】
かかる構成とすることで、調整機構の構成を簡易化できる。
【発明の効果】
【００２１】
本明細書で開示する車両シート構造によれば、様々な体型に対応できるとともに良好な座り心地が得られる。
【図面の簡単な説明】
【００２２】
【図１】車両シート構造を前方からみた斜視図である。
【図２】車両シート構造を後方からみた斜視図である。
【図３】シートバックの概略正面図である。
【図４】シートバックフレーム、調整ワイヤ、調整機構を背後から見た図である。
【図５】調整機構の一例を示す図である。
【図６】調整機構の他の一例を示す図である。
【図７】シートバックフレームの側面図である。
【図８】調整ワイヤの張力を増加させた様子を示す図である。
【図９】他の形態の調整ワイヤとシートバックフレームとの背面図である。
【図１０】他の形態の調整ワイヤとシートバックフレームとの背面図である。
【図１１】他の形態の調整ワイヤとシートバックフレームとの背面図である。
【図１２】図１１の形態の調整ワイヤとシートバックフレームとの側面図である。
【発明を実施するための形態】
【００２３】
以下、図面を参照して車両用シート１０の構成について説明する。図１および図２は、車両用シート１０の概略構成を模式的に示す斜視図である。図１は、前方左方から見下ろした状態で車両用シート１０を示す図であり、図２は、後方左方から見上げた状態で車両用シート１０を示す図である。また、図３は、車両用シート１０の概略的な正面図である。なお、図１〜図３では、後述する調整ワイヤ６４および調整機構６６の図示が省略されている。また、以下の図面において、ＵＰ、ＦＲ、ＬＨは、それぞれ、車両用シート１０に着座する乗員（以下「着座者」という）からみての上方、前方、左方を示している。
【００２４】
この車両用シート１０は、乗用車などの自動車に適用されるシートであって、一人の乗員が着座することを想定した一人用シートである。車両用シート１０は、車体に直接搭載されるメインフレーム１２と、メインフレーム１２に支持されるシートクッション１４およびシートバック１６を有する。なお、図１、図２において、シートクッション１４は、クッションパッドを省略した状態で示されている。シートクッション１４は、着座者の臀部および大腿を下方から支持し、シートバック１６は着座者の上体を後方から支える。
【００２５】
メインフレーム１２は、シートクッション１４を支持するシートクッション支持フレーム１８と、シートバック１６を支持するシートバック支持フレーム２０を有する。シートクッション支持フレーム１８は、車両の前後方向に延びる一対のシートトラック２２と、シートクッション１４の四隅下方に設けられたシート脚２４と、を有する。シートトラック２２は、フロアに固定されたロアレール２６と、ロアレール２６に対してスライド可能なアッパーレール２８を含む。シート脚２４は、このアッパーレール２８と後述するサイドプレート３０とを連結する。そして、これにより、車両用シート１０は、フロア上に車両の前後方向にスライド可能に搭載される。
【００２６】
シートクッション支持フレーム１８は、さらに、シートクッション１４の左右に配置された一対のサイドプレート３０と、一対のサイドプレート３０の間に架け渡される二つの連結バー３２と、を含む。サイドプレート３０は、概略板形状の部材であり、板厚の方向が左右方向となり、かつ、長尺方向が前後方向となるよう配置されている。二本の連結バー３２のうちの一つは、一対のサイドプレート３０の前端部同士を連結している。また、二本の連結バー３２の他の一つは、一対のサイドプレート３０の後端部同士を連結している。
【００２７】
シートクッション１４は、シートクッション支持フレーム１８で支持されるクッションパン３４と、クッションパン３４上に取り付けられるクッションパッド（不図示）を含む。クッションパン３４は、前方および左右側方をシートクッション支持フレーム１８に囲まれるように、シートクッション支持フレーム１８の内側に配置されている。クッションパッドは、このクッションパン３４の上に取り付けられている。なお、このクッションパンおよびクッションパッドを、シートクッション支持フレーム１８に対して移動可能としてもよい。
【００２８】
メインフレーム１２の一部であるシートバック支持フレーム２０は、正面視において倒立したＵ字形状を有する。このシートバック支持フレーム２０の下端部は、左右方向に沿って延びる軸線周りに回動可能に、シートクッション支持フレーム１８の後端部に結合されている。そして、シートクッション支持フレーム１８に対してシートバック支持フレーム２０を回動させることで、シートバック１６の傾きを調節することができる。
【００２９】
シートバック１６は、シートバック支持フレーム２０に吊り下げ支持されるシートバックフレーム３８と、シートバックフレーム３８に取り付けられるシートバックパッド４０と、を含む。シートバックフレーム３８は、車両用シート１０の左右両側を略上下方向に沿って延びる一対の縦部材４２と、左右の縦部材４２をつなぐ略左右方向に沿って配置された二本の横部材４４Ｕ，４４Ｌを含む。２本の横部材４４Ｕ，４４Ｌのうち上側に位置する横部材を上側横部材４４Ｕと記し、下側に位置する横部材を下側横部材４４Ｌと記す。上側横部材４４Ｕは、縦部材４２の上下方向の中央よりやや上に位置する第一接続点５８で二本の縦部材４２に接続し、下側横部材４４Ｌは、２本の縦部材４２の下端近傍に位置する第二接続点６０で、これらに接続している。この上側横部材４４Ｕと下側横部材４４Ｌとの間の中間部６２は、着座者の腰部に対応している。なお、以下の説明では、上側と下側を区別しない場合には、添え字Ｕ，Ｌを省略して、単に「横部材４４」という。他部材においても同じである。
【００３０】
上側横部材４４Ｕの左右の端部には、後方に向けて突出するばね受けブラケット４６が固定されている。ばね受けブラケット４６の後端には、板ばねである戻しばね４８の後端がそれぞれ固定され、さらに戻しばね４８の前端は、シートバック支持フレーム２０に固定されている。板ばねである戻しばね４８は、板厚方向が略左右方向となるように配置されている。これらの戻しばね４８が撓むことにより、シートバック支持フレーム２０に対するシートバックフレーム３８の左右の移動が許容される。また、戻しばね４８の弾性力により、シートバックフレーム３８は、車両用シート１０の幅の中央の中立位置に戻される。
【００３１】
シートバックフレーム３８は、複数の吊り下げワイヤ５０Ａ，５０Ｂ，５０Ｃを介してシートバック支持フレーム２０に吊り下げ支持されている。より具体的に説明すると、シートバックパッド４０の背面には略円板状の中継ディスク５２が取り付けられている。この中継ディスク５２は、左右２本ずつの吊り下げワイヤ５０Ａ，５０Ｂによりシートバック支持フレーム２０から吊り下げ支持されている。また、シートバックフレーム３８は、左右それぞれ２本の吊り下げワイヤ５０Ｃにより中継ディスク５２から吊り下げられている。
【００３２】
吊り下げワイヤ５０Ａは、無端状であり、シートバック支持フレーム２０上の点と中継ディスク５２を巡るように架け渡されている。また、吊り下げワイヤ５０Ｂは、両端が、シートバック支持フレーム２０に設けられた肩部ブラケット５４上の点に結合され、中間部が中継ディスク５２に掛けられている。肩部ブラケット５４は、シートバック支持フレーム２０から前方および後方に延びており、前端部および後端部に吊り下げワイヤ５０Ｂの両端が結合されている。
【００３３】
それぞれ対をなす左右の吊り下げワイヤ５０Ａおよび吊り下げワイヤ５０Ｂにより中継ディスク５２の左右方向の位置が規定される。より具体的には、１対の吊り下げワイヤ５０Ａにより中継ディスク５２の上下方向の位置が規定され、１対の吊り下げワイヤ５０Ｂにより中継ディスク５２の前後方向の位置が規定される。１対の吊り下げワイヤ５０Ｃは、一端がシートバックフレーム３８の上側横部材４４Ｕに、他端が下側横部材４４Ｌに結合され、中間部が中継ディスク５２に掛けられている。これらのワイヤ５０Ａ，５０Ｂ，５０Ｃで吊り下げ支持されたシートバック１６は、中継ディスク５２を中心にして前後に延びる軸線周りに振り子のように回動可能となっている。
【００３４】
シートバックフレーム３８の左右の縦部材４２の間には、複数本の架け渡しワイヤ５６が左右方向に架け渡されている。架け渡しワイヤ５６は、上下方向に間隔を開けて複数、設けられている。この架け渡しワイヤ５６は、シートバックパッド４０を後方から支え、着座者からの荷重を受ける。
【００３５】
さらに、シートバック１６には、上側横部材４４Ｕおよび下側横部材４４Ｌを互いに近づく方向に引っ張る調整ワイヤ６４Ｕ，６４Ｌと、当該調整ワイヤ６４Ｕ，６４Ｌの張力を調整する調整機構６６Ｕ，６６Ｌと、が設けられている。これについて図４を参照して説明する。図４は、シートバックフレーム３８と調整ワイヤ６４と、調整機構６６だけを図示した背面図である。また、以下の図では、説明を容易にするために、無負荷状態における縦部材４２は、湾曲していないストレート形状として図示する。
【００３６】
調整ワイヤとしては、上側横部材４４Ｕに沿って設けられた上側調整ワイヤ６４Ｕと、下側横部材４４Ｌに沿って設けられた下側調整ワイヤ６４Ｌと、がある。調整機構としては、上側調整ワイヤ６４Ｕの張力を調整する上側調整機構６６Ｕと、下側調整ワイヤ６４Ｌの張力を調整する下側調整機構６６Ｌと、があり、二つの調整機構６６Ｕ，６６Ｌは、上下に連結され、一体化されている。そして、この二つの調整機構６６Ｕ，６６Ｌは、上側横部材４４Ｕおよび下側横部材４４Ｌの中間高さ、かつ、幅方向略中央に設けられている。
【００３７】
上側調整ワイヤ６４Ｕは、上側横部材４４Ｕの幅方向端部近傍から、当該上側横部材４４Ｕに沿って略水平方向に延びた後、幅方向略中央位置において、上側調整機構６６Ｕに向かって下方に延びる。上側横部材４４Ｕには、この上側調整ワイヤ６４Ｕの経路をガイドするガイド部材６８（例えば、上側調整ワイヤ６４Ｕが通るトンネル等）が設けられている。なお、上側調整ワイヤ６４Ｕは、上側横部材４４Ｕの右端から延びる右側ワイヤと、左端から延びる左側ワイヤと、がある。この左右のワイヤは、図４に示すように、上側調整機構６６Ｕにおいて繋がる一本のワイヤである。
【００３８】
同様に、下側調整ワイヤ６４Ｌは、下側横部材４４Ｌの幅方向端部近傍から、当該下側横部材４４Ｌに沿って略水平方向に延びた後、幅方向略中央位置において、下側調整機構６６Ｌに向かって上方に延びる。下側横部材４４Ｌには、この下側調整ワイヤ６４Ｌの経路をガイドするガイド部材６８（例えば、上側調整ワイヤ６４Ｕが通るトンネル等）が設けられている。また、下側横部材４４Ｌの右端から延びる右側ワイヤと、左端から延びる左側ワイヤは、図４に示すように、下側調整機構６６Ｌにおいて繋がっている。
【００３９】
そして、かかる構成とすることで、上側横部材４４Ｕと下側横部材４４Ｌは、上側調整ワイヤ６４Ｕ、上側調整機構６６Ｕ、下側調整機構６６Ｌ、および、下側調整ワイヤ６４Ｌを介して、上下に連結されることになる。そして、上側および下側調整ワイヤ６４Ｕ，６４Ｌの張力が増加すると、上側横部材４４Ｕと下側横部材４４Ｌが互いに近づくことになる。
【００４０】
調整機構６６は、調整ワイヤ６４の張力を調整するものであれば、その構成は、特に、限定されない。したがって、調整機構６６は、例えば、図５に示すように、モータ７０と、当該モータ７０に連結されたボビン７２と、を有する構造でもよい。この場合、ボビン７２には、調整ワイヤ６４の一部が固着されている。そして、モータ７０の駆動に伴い、ボビン７２が回転して、調整ワイヤ６４が巻き取られると、調整ワイヤ６４の張力が増加する。一方、ボビン７２が逆回転して、調整ワイヤ６４が巻き戻されると、調整ワイヤ６４の張力が元に戻る。
【００４１】
また、別の形態として、調整機構６６は、調整ワイヤ６４を挟み込んで、当該調整ワイヤ６４の動きを規制するストッパでもよい。かかるストッパは、例えば、図６に示すように、周面に調整ワイヤ６４が通る貫通孔７４ａが形成された外筒７４と、同じく周面に調整ワイヤ６４が通る貫通孔７６ａが形成されるとともに外筒７４内で進退する内筒７６と、内筒７６を一方向に付勢するバネ７８と、を有してもよい。そして、バネ７８の付勢力により、内筒７６の貫通孔７６ａの位置を外筒７４の貫通孔７４ａに対してズラすことで、二つの貫通孔７４ａ，７６ａの周縁で調整ワイヤ６４を挟み込むことができ、調整ワイヤ６４のストッパに対する動きを規制できる。この場合、調整ワイヤ６４の張力の変更は、手動または他の機構を用いて行なう。張力を変更する場合には、バネ７８の付勢力に抗して内筒７６を押し戻し、内筒７６の貫通孔７６ａを、外筒７４の貫通孔７４ａと同軸上に位置させる。そして、この状態で、ストッパに対する調整ワイヤ６４の引き出し量を変更すればよい。
【００４２】
以上のように、本例では、上側横部材４４Ｕおよび下側横部材４４Ｌを互いに近づく方向に引っ張る調整ワイヤ６４を設けているが、その理由について説明する。一般に、着座者の着座姿勢の安定化と着座疲労の軽減化を図るためには、立位時に人の脊椎が描く逆Ｓ字カーブを着座時にも保つとともに、着座時のストレスが集中する腰椎を適度な圧力で支持することが必要とされる。こうしたＳ字カーブを維持するように腰椎を支持することは、ランバーサポートと呼ばれている。従来から、このランバーサポートを実現するために、シートバック１６に、着座者の背中に局所的な圧力を付加する空気袋や板材等を設けておくことが提案されている。こうした従来技術では、空気袋に注入する空気量を調整したり、モータで板材の撓み量を調整したりして、腰椎の支持力を調整している。
【００４３】
しかし、空気袋を利用する従来技術では、空気袋の配置された箇所のみが局所的に膨らむことになる。そのため、様々な体型に対応することが難しかった。もちろん、空気袋の数を増やし、空気袋ごとに注入する空気量を調整することで、様々な体型に対応しやすくなるが、この場合、コストが増加し、制御も複雑となる。また、板材を撓ませる技術の場合、着座者の上体のすぐ背後に硬い板材が存在することになる。そのため、板材を利用する技術では、座り心地については、改善の余地があった。
【００４４】
本例では、調整ワイヤ６４を用いて二つの横部材４４Ｕ，４４Ｌを引っ張ることで、複数の架け渡しワイヤ５６の張力、ひいては、着座者の上体の支持力を調整している。その結果、様々な体型に対応できるとともに良好な座り心地が得られる。具体的に、この支持力調整の原理について図７、図８を参照して説明する。図７は、シートバックフレーム３８の概略側面図であり、図８は、調整ワイヤ６４の張力を増加させた際のシートバックフレーム３８の概略背面図である。
【００４５】
図７（ａ）に示すように、側面視において、上側横部材４４Ｕは、縦部材４２に対して角度α１だけ傾斜した状態で取り付けられている。同様に、下側横部材４４Ｌは、縦部材４２に対して角度α２だけ傾斜した状態で取り付けられている。この状態で、調整ワイヤ６４の張力を増加させた場合、二つの横部材４４Ｕ，４４Ｌは、互いに近づく方向の力を受ける。この力を受けて、二つの横部材４４Ｕ，４４Ｌの水平方向に対する角度が変化する。一方、縦部材４２は、横部材４４Ｕ，４４Ｌとの角度α１、α２を維持しようとするため、第一接続点５８および第二接続点６０における（鉛直方向に対する）傾斜角度が変化する。結果として、図７（ｂ）に示すように、縦部材４２は、第一接続点５８と第二接続点６０との間にある中間部６２が、前方に膨らむように湾曲する。
【００４６】
また、二つの横部材４４Ｕ，４４Ｌの両端は、それぞれ、第一接続点５８および第二接続点６０において縦部材４２に接続されている。この二つの横部材４４Ｕ，４４Ｌが互いに近づくことで、第一接続点５８と第二接続点６０との上下方向距離Ｈが縮まる。第一、第二接続点５８，６０の上下方向距離Ｈが縮まることで、縦部材４２の長さが余るため、縦部材４２が撓むことになる。この縦部材４２の撓みは、図７（ｂ）に示すように前後方向についても生じるし、図８に示すように幅方向についても生じる。
【００４７】
なお、本例では、上述したように、シートバックフレーム３８は、吊り下げワイヤ５０Ｃで吊り下げ保持されており、縦部材４２の上下両端は、どこにも接続されていない自由端となっている。そのため、縦部材４２は、比較的容易に撓むことができる。
【００４８】
縦部材４２が撓むことにより、第一接続点５８と第二接続点６０との間にある中間部６２では、二つの縦部材４２の幅方向距離Ｗが、無負荷状態（図４の状態）に比べて増加することになる。一対の縦部材４２の幅方向距離Ｗが、増加すると、当然ながら、当該一対の縦部材４２に架け渡された架け渡しワイヤ５６の張力が増加する。また、縦部材４２が前方に湾曲することで、架け渡しワイヤ５６は、より前方位置に移動する。架け渡しワイヤ５６の張力が増加すれば、当然ながら、着座者の上体背部の支持力が増加する。また、架け渡しワイヤ５６が前方に位置すれば、その分、架け渡しワイヤ５６が着座者の上体背部から受ける力が大きくなり、支持力（反力）が増加するといえる。
【００４９】
つまり、本例によれば、調整ワイヤ６４の張力を増加させると、中間部６２、ひいては、着座者の腰部付近における支持力を増加させることができる。さらに、この支持力の増加量は、調整ワイヤ６４の張力によって調整できる。また、上側調整ワイヤ６４Ｕの張力と下側調整ワイヤ６４Ｌの張力とに差をつけることで、縦部材４２が撓む位置、ひいては、架け渡しワイヤ５６による支持力が最も高くなる位置も変更することができる。
【００５０】
つまり、本例によれば、上側調整ワイヤ６４Ｕおよび下側調整ワイヤ６４Ｌの張力を調整することで、シートバック１６の支持力の位置や大きさを、着座者の体型に応じて自由に変更できる。また、この支持力は、架け渡しワイヤ５６の張力によって実現されている。この架け渡しワイヤ５６は、従来技術で用いられていた板材と異なり、着座者の体格に応じて３次元的に変形できるため、より良好な座り心地が得られる。
【００５１】
なお、本例では、調整ワイヤ６４を、横部材４４Ｕ，４４Ｌに沿って延ばしているが、図９に示すように、調整ワイヤ６４を水平方向に延ばさず、横部材４４Ｕの中央から直接、調整機構６６に向かって延びる構成としてもよい。また、図１０に示すように、シートバック１６の右側、左側それぞれに調整機構６６を設けておき、調整ワイヤ６４の張力を右側および左側それぞれで独立して調整できるようにしてもよい。また、これまでの説明では、上側調整ワイヤ６４Ｕの張力および下側調整ワイヤ６４Ｌの張力を互いに独立して調整できるように、上側調整機構６６Ｕと下側調整機構６６Ｌと、を設けている。しかし、調整機構６６は、上側および下側で同じ一つのものを用いてもよい。
【００５２】
また、上述の説明では、上側調整ワイヤ６４Ｕと下側調整ワイヤ６４Ｌは、調整機構６６を介して接続されているが、上側調整ワイヤ６４Ｕおよび下側調整ワイヤ６４Ｌは、完全に独立していてもよい。これについて図１１〜図１２を参照して説明する。図１１は、他の形態におけるシートバックフレーム３８の背面図であり、図１２は、図１１のシートバックフレーム３８の側面図である。図１１（ａ）に示すように、この場合、上側横部材４４Ｕは、後方に進むにつれ、下方に進むように傾斜した状態で縦部材４２に取り付けられている。また、下側横部材４４Ｌは、後方に進むにつれ、上方に進むように傾斜した状態で縦部材４２に取り付けられている。したがって、側方から見た場合、上側横部材４４Ｕおよび下側横部材４４Ｌは、前方に向かって開いた略ハ字状に取り付けられている。
【００５３】
上側調整機構６６Ｕは、図１２に示すように、上側横部材４４Ｕの幅方向中央に取り付けられている。上側調整ワイヤ６４Ｕは、この上側調整機構６６Ｕから、上側横部材４４Ｕに沿って第一接続点５８まで延びている。同様に、下側調整機構６６Ｌは、下側横部材４４Ｌの幅方向中央に取り付けられている。下側調整ワイヤ６４Ｌは、この下側調整機構６６Ｌから、下側横部材４４Ｌに沿って第二接続点６０まで延びている。
【００５４】
かかる構成において、上側調整ワイヤ６４Ｕおよび下側調整ワイヤ６４Ｌの張力を増加させると、第一接続点５８には、斜め下向きかつ幅方向内向きの、第二接続点６０には、斜め上向きかつ幅方向内向きの力がかかる。そして、これにより、図１１（ｂ）および図１２（ｂ）に示すように、第一、第二接続点５８，６０において、一対の縦部材４２の幅方向距離Ｗが縮まると同時に、第一接続点５８と第二接続点６０との上下方向距離Ｈが縮まる。その結果、第一接続点５８と第二接続点６０との間の中間部６２において、縦部材４２が、前方かつ幅方向外側に膨らむように撓む。そして、結果として、第一接続点５８と第二接続点６０との中間高さである腰部付近において、架け渡しワイヤ５６の支持力が増加し、腰部が適切に支持される。
【００５５】
なお、この場合でも、上側調整ワイヤ６４Ｕと下側調整ワイヤ６４Ｌそれぞれの張力を個別に調整することで、支持力の増加量や、増加位置を自由に調整できる。そして、これにより、着座者の体格に応じた良好な座り心地を提供できる。
【００５６】
なお、これまでの説明では、主に腰部付近の支持力を調整できる構成を例示している。しかし、本明細書に開示する技術は、横部材４４の位置や数を適宜、変更するだけで、腰部に限らず、他の部位の支持力調整にも適用できる。例えば、本明細書の技術は、着座者の胸椎部付近を保持するアッパーサポートに適用してもよい。この場合、着座者の胸椎部の上下両側にも横部材４４を設け、調整ワイヤ６４で、これら横部材４４を近づける方向に引っ張るようにすればよい。
【００５７】
また、これまでの説明では、説明を容易にするために、無負荷状態における縦部材４２をストレート形状としているが、縦部材４２は、湾曲させたい方向（すなわち、前方かつ幅方向外側）に予め湾曲させていてもよい。かかる構成とすることで、調整ワイヤ６４の張力を増加させた際、縦部材４２が、確実に、所望の方向に湾曲する。
【符号の説明】
【００５８】
１０  車両用シート、１２  メインフレーム、１４  シートクッション、１６  シートバック、１８  シートクッション支持フレーム、２０  シートバック支持フレーム、２２  シートトラック、２４  シート脚、２６  ロアレール、２８  アッパーレール、３０  サイドプレート、３２  連結バー、３４  クッションパン、３８  シートバックフレーム、４０  シートバックパッド、４２  縦部材、４４Ｌ  下側横部材、４４Ｕ  上側横部材、４６  ばね受けブラケット、４８  戻しばね、５０Ａ，５０Ｂ，５０Ｃ  吊り下げワイヤ、５２  中継ディスク、５４  肩部ブラケット、５６  架け渡しワイヤ、５８  第一接続点、６０  第二接続点、６２  中間部、６４Ｌ  下側調整ワイヤ、６４Ｕ  上側調整ワイヤ、６６Ｌ  下側調整機構、６６Ｕ  上側調整機構、６８  ガイド部材、７０  モータ、７２  ボビン、７４  外筒、７６  内筒、７８  バネ。
【図１】
2020100311.tif 000003
【図２】
2020100311.tif 000004
【図３】
2020100311.tif 000005
【図４】
2020100311.tif 000006
【図５】
2020100311.tif 000007
【図６】
2020100311.tif 000008
【図７】
2020100311.tif 000009
【図８】
2020100311.tif 000010
【図９】
2020100311.tif 000011
【図１０】
2020100311.tif 000012
【図１１】
2020100311.tif 000013
【図１２】
2020100311.tif 000014